(57)【要約】【課題】ラッチアップを防止し、消費電力の増大を防止することができる表示装置用電源回路及び表示装置を提供する。【解決手段】本発明にかかる表示装置用電源回路２は、出力部に複数の容量素子が接続され複数のドライバ部に電源を供給する電源回路６と、使用モードに応じて電源回路６と容量素子の接続を切り替える制御部とを有する。また、使用モードは、容量素子の一端を電源回路６又は接地電位に接続する第１の使用モードと、容量素子の一端を電源回路６に接続する又はフローティング状態とする第２の使用モードを含む。【選択図】図１
2008170827.tif 000002
【特許請求の範囲】
【請求項１】
出力部に複数の容量素子が接続され複数のドライバ部に電源を供給する電源回路と、
使用モードに応じて前記電源回路と前記容量素子の接続を切り替える制御部とを有する表示装置用電源回路。
【請求項２】
前記使用モードは、
前記容量素子の一端を前記電源回路又は接地電位に接続する第１の使用モードと、前記容量素子の一端を前記電源回路に接続する又はフローティング状態とする第２の使用モードを含む
ことを特徴とする請求項１記載の表示装置用電源回路。
【請求項３】
前記複数の電源回路が動作する場合、少なくとも１つの前記容量素子に入力される電圧が他の前記容量素子に入力される電圧と異なる
ことを特徴とする請求項１又は２記載の表示装置用電源回路。
【請求項４】
出力部に複数の容量素子が接続され複数のドライバ部に電源を供給する電源回路と、
使用モードに応じて前記電源回路と前記容量素子の接続を切り替える制御部とを有する表示装置。
【請求項５】
前記使用モードは、
前記容量素子の一端を前記電源回路又は接地電位に接続する第１の使用モードと、前記容量素子の一端を前記電源回路に接続する又はフローティング状態とする第２の使用モードを含む
ことを特徴とする請求項４記載の表示装置。
【請求項６】
前記容量素子の電荷量に基づいて前記使用モードが決定される
ことを特徴とする請求項５記載の表示装置。
【請求項７】
前記表示装置駆動回路は、前記電源回路に電源ＯＦＦ信号が入力された後の経過時間に基づいて前記使用モードが変更される
ことを特徴とする請求項４乃至６のいずれか１項記載の表示装置。
【請求項８】
前記複数の電源回路が動作する場合、少なくとも１つの前記容量素子に入力される電圧が他の前記容量素子に入力される電圧と異なる
ことを特徴とする請求項４乃至７のいずれか１項記載の表示装置。
【発明の詳細な説明】
【技術分野】
【０００１】
本発明は、複数の電源電圧を出力する表示装置用電源回路及び表示装置に関する。
【背景技術】
【０００２】
液晶表示装置などを駆動する回路として、半導体集積回路が用いられている。液晶表示装置では、スクリーンセーバ等を起動する場合に、電源のＯＮ／ＯＦＦを頻繁に繰り返す場合がある。そのため、液晶表示装置を駆動する回路では、電源のＯＮ／ＯＦＦが頻繁に繰り返されることにより多量の電力を消費する。そのため、液晶表示装置を駆動する回路では、このような場合の消費電力の低下が要求されている。
【０００３】
一方で、回路における電力の消費を低減する技術が特許文献１に記載されている。特許文献１には、消費電力低減のために、電源安定化回路から電圧が出力されない場合は、電源安定化回路に接続されるコンデンサを切り離した状態とし、コンデンサに蓄積されている電荷を保持する技術が記載されている。
【０００４】
しかしながら、液晶表示装置を駆動する回路では、液晶表示装置を駆動するために、複数の電圧を出力する必要がある。そのため、コンデンサに電荷を保持した状態で電源のＯＮ／ＯＦＦを繰り返すと、ラッチアップが発生する場合がある。特に、電源回路に接続されるコンデンサの容量及び電源回路に流れるリーク電流が異なるため、コンデンサ毎にその電圧の低下度合が異なる。この容量の差等による電圧低下により、電源回路が動作する場合のコンデンサの残留電荷による電圧の大小関係が逆になる場合等に液晶表示装置を駆動させる回路が動作するとラッチアップが発生しやすくなる。
【０００５】
そこで、従来は液晶表示装置駆動回路の電源をＯＦＦ状態とするたびに、コンデンサの両端子を接地し、コンデンサの電荷を放電させてラッチアップを防止している（例えば、特許文献２及び３参照）。図５に従来のコンデンサの電荷を放電する表示装置のブロック図を示す。
【０００６】
図５に示すように、表示装置の表示装置駆動回路９０は、論理回路９１に接続された電源回路９２、ソースドライバ９３、ゲートドライバ９４、及びコモンドライバ９５と、発振器（ＯＳＣ）９６とを有する。また、論理回路９１は中央演算処理装置（ＣＰＵ：Ｃｅｎｔｒａｌ  Ｐｒｏｃｅｓｓｉｎｇ  Ｕｎｉｔ）９７に接続されていて、ＣＰＵ９７から制御信号を受信して動作する。そして、ソースドライバ９３、ゲートドライバ９４、及びコモンドライバ９５は表示用のパネル９８に接続されている。さらに、表示装置駆動回路９０に、外付けで電源安定化用のコンデンサＣ９１、Ｃ９２、Ｃ９３が接続されている。これにより、表示装置が動作しない場合は、コンデンサＣ９１乃至Ｃ９３に蓄積された電荷を放電させる。再度電源をＯＮにして電源安定化用回路を動作させる場合にコンデンサに電荷が略無いため、外付けコンデンサＣ９１乃至Ｃ９３とそれぞれに接続されるドライバ間でのラッチアップの発生を防止することができる。
【特許文献１】特開２０００−３７０３６号公報
【特許文献２】特開２００４−１５１５１４号公報
【特許文献３】特開２００２−００６８１１号公報
【発明の開示】
【発明が解決しようとする課題】
【０００７】
しかしながら、従来の表示装置は、電源回路から電圧が出力されない場合は、例えコンデンサの自然放電が問題にならないような短時間に電源回路のＯＮ／ＯＦＦを繰り返す場合でも、コンデンサＣ９１乃至Ｃ９３に蓄積された電荷が放電される。このため、再度電源回路から電圧を出力させる場合、コンデンサＣ９１乃至Ｃ９３に電荷を蓄積する必要がある。これにより、消費電力が増大してしまうという問題点があった。
【課題を解決するための手段】
【０００８】
上述した課題を解決するために、本発明に係る表示装置用電源回路は、出力部に複数の容量素子が接続され複数のドライバ部に電源を供給する電源回路と、使用モードに応じて前記電源回路と前記容量素子の接続を切り替える制御部とを有することを特徴とする。
【発明の効果】
【０００９】
本発明に係る表示装置用電源回路によれば、ラッチアップを防止し、消費電力の増大を防止することができる。
【発明を実施するための最良の形態】
【００１０】
実施の形態１．
以下、本発明を適用した具体的な実施の形態について、図面を参照しながら詳細に説明する。この実施の形態は、本発明を表示装置及び表示装置用電源回路に適用したものである。また、本実施の形態にかかる表示装置は、通常モードと、短期間ＯＮ／ＯＦＦモードの２モードを有することとする。詳細については後述する。
【００１１】
図１に本実施の形態にかかる表示装置用電源回路２を有する表示装置１のブロック図を示す。図１に示すように本実施の形態にかかる表示装置１は、中央演算処理装置（ＣＰＵ）３と、表示装置駆動回路１０と、複数のコンデンサＣ１乃至Ｃ３と、表示パネル１１を有している。表示装置駆動回路１０は、発振器（ＯＳＣ）４、論理回路（制御部）５、電源回路６、ソースドライバ７、ゲートドライバ８、コモンドライバ９、及びスイッチＳ１乃至Ｓ３を有する。複数のコンデンサＣ１乃至Ｃ３は電源回路６に接続される電源安定化用コンデンサであって、表示装置駆動回路１０に対して外付けで形成されている。コンデンサＣ１はスイッチＳ１を介してソースドライバ７に接続される。コンデンサＣ２はスイッチＳ２を介してゲートドライバ８に接続される。また、コンデンサＣ３はスイッチＳ３を介してコモンドライバ９に接続される。表示パネル１１は、ソースドライバ７、ゲートドライバ８、及びコモンドライバ９に接続される。ここで、論理回路５と、電源回路６と、スイッチＳ１乃至Ｓ３と、電源回路６にスイッチＳ１乃至Ｓ３を介してそれぞれ接続されるコンデンサＣ１乃至Ｃ３とで表示装置用電源回路２が構成される。また、電源回路６が動作する場合、少なくとも１つのコンデンサに入力される電圧が他のコンデンサに入力される電圧と異なることとする。
【００１２】
ＣＰＵ３は論理回路５を介して電源回路６に接続されていて、表示装置用電源回路２に対して各種信号を出力する。例えば、電源回路６の電圧の出力を制御する電源ＯＮ信号又は電源ＯＦＦ信号の出力、通常モード信号又は短期間ＯＮ／ＯＦＦモード信号の出力、並びに表示パネル１１の表示ＯＮ／ＯＦＦ信号等の出力を行う。電源回路６は複数の電圧を出力する回路である。また、電源回路６は論理回路５を介してＣＰＵ３から出力される電源ＯＮ信号又は電源ＯＦＦ信号に基づいて電圧の出力／不出力が切り替えられる。すなわち、電源回路６は図示せぬ電源に接続されていて、入力された電源電圧に基づいてソースドライバ７、ゲートドライバ８、コモンドライバ９、及びコンデンサＣ１乃至Ｃ３に電源電圧を出力する。ここで、電源回路６は、例えばチャージポンプ等を用いて入力された電源電圧をそれぞれソースドライバ７、ゲートドライバ８、及びコモンドライバ９が必要とする電圧に昇圧して出力する。また、ＯＳＣ４は論理回路５に接続されていて、論理回路５を介してソースドライバ７、ゲートドライバ８、及びコモンドライバ９にクロック信号を出力する。このクロック信号によりソースドライバ７、ゲートドライバ８、及びコモンドライバ９から表示パネル１１に出力される信号を階調表示させる。
【００１３】
本実施の形態にかかる表示装置用電源回路２は、電源回路６の複数の出力とそれぞれの出力先に接続されるコンデンサＣ１乃至Ｃ３の間にスイッチＳ１乃至Ｓ３を有している。このスイッチＳ１乃至Ｓ３は、例えば通常モードと短期間ＯＮ／ＯＦＦモード等の使用モードに応じて電源回路６とコンデンサＣ１乃至Ｃ３の接続を切り替えるスイッチである。通常モードは、電源回路６に入力される電源ＯＮ信号又は電源ＯＦＦ信号に基づいて電源回路６の電圧の出力／不出力が切り替えられるモードである。一方、短期間ＯＮ／ＯＦＦモードは、例えば液晶表示装置のスクリーンセーバ等のように、短期間で電源回路６のＯＮ／ＯＦＦが切り替えられるモードである。そして、電源回路６に入力される信号が電源ＯＮ信号又は電源ＯＦＦ信号に係らず常に電源回路６からは電圧が出力されるモードである。ただし、電源ＯＦＦ信号が入力される場合、電源回路６は消費電力削減のために昇圧動作を行わない。このとき、電源回路６の出力先のそれぞれの負荷に応じて流れる電流と、電源回路６自体のリーク電流に応じて、電源回路６の出力電圧を低下させる。最大で電源回路６の入力電圧値まで低下する場合がある。また、電源回路６の出力先にそれぞれ接続される負荷である各種ドライバもクロック信号の入力がなく、バイアス電流を流さないモードとなる。すなわち、短期間ＯＮ／ＯＦＦモードで電源ＯＦＦ信号が入力される場合、表示装置用電源回路１０に流れる電流は通常リーク電流のみとなる。また、後述するように、短期間ＯＮ／ＯＦＦモードで電源回路６に電源ＯＦＦ信号が入力される場合はスイッチを切断してコンデンサの一方の端子をフローティングにする。このとき、次に電源回路６からの出力電圧がコンデンサＣ１乃至Ｃ３に印加されるまでにコンデンサＣ１乃至Ｃ３から自然放電される電荷は微量である。このように、コンデンサＣ１乃至Ｃ３に蓄積されている電荷によって再度コンデンサＣ１乃至Ｃ３と電源回路６とが接続される際にラッチアップが起こらない程度の短期間に電源回路６のＯＮ／ＯＦＦを繰り返し行うモードを短期間ＯＮ／ＯＦＦモードとする。
【００１４】
すなわち、短期間ＯＮ／ＯＦＦモードであって電源回路６に入力される信号が電源ＯＮ信号の場合は、電源回路６からは電圧が出力され、電源回路６とコンデンサＣ１乃至Ｃ３が接続される。一方、短期間ＯＮ／ＯＦＦモードであって電源回路６に入力される信号が電源ＯＦＦ信号の場合は、電源回路６から電圧が出力されるが、電源回路６とコンデンサＣ１乃至Ｃ３の接続が切断される。このとき、スイッチはどこにも接続しない状態とする。これにより、短期間ＯＮ／ＯＦＦモードであって電源回路６に電源ＯＦＦ信号が入力される場合、コンデンサＣ１乃至Ｃ３に蓄積された電荷は放電されず、そのままコンデンサＣ１乃至Ｃ３に残る。ここで、コンデンサＣ１乃至Ｃ３をどこにも接続しない場合少なからず放電（自然放電）が起こるが、ラッチアップが起こらない程度の微量が放電する短期間で電源のＯＮ／ＯＦＦが繰り返される場合を短期間ＯＮ／ＯＦＦモードとしている。
【００１５】
本実施の形態では、例えば表示装置用電源回路１０は、通常モードと短期間ＯＮ／ＯＦＦモードの使用モードを有している。通常モードの場合は電源回路６に入力される電源ＯＮ／ＯＦＦ信号に基づいて、電源回路６から電圧を出力するか、出力しないかを切り替える。すなわち、電源回路６に電源ＯＮ信号が入力される場合は、電源回路６とコンデンサＣ１乃至Ｃ３を接続する。また、電源回路６に電源ＯＦＦ信号が入力される場合は電源回路６とコンデンサＣ１乃至Ｃ３の接続を切断してコンデンサＣ１乃至Ｃ３の一方の端子を接地電位に接続し、コンデンサＣ１乃至Ｃ３に蓄積されている電荷を放電させる。一方、短期間ＯＮ／ＯＦＦモードの場合は、電源回路６に入力される信号がＯＮ／ＯＦＦに係らず電源回路６からは電圧が出力される。ただし、電源ＯＦＦ信号が入力される場合は、電源回路６は消費電力削減のために昇圧動作は行わない。このとき、電源回路６の出力先のそれぞれの負荷に応じて流れる電流と、電源回路６自体のリーク電流に応じて、電源回路６の出力電圧を低下させる。このため、短期間ＯＮ／ＯＦＦモードで電源ＯＦＦ信号が入力される場合は、表示装置用電源回路１０に流れる電流は通常リーク電流のみとなる。そして、電源回路６に電源ＯＮ信号が入力される場合は、通常モードと同様に電源回路６とコンデンサＣ１乃至Ｃ３を接続する。一方、電源回路６に入力される信号が電源ＯＦＦ信号の場合、電源回路６とコンデンサＣ１乃至Ｃ３の接続は切断するが、コンデンサＣ１乃至Ｃ３はどこにも接続しない。すなわち、コンデンサＣ１乃至Ｃ３の端子をフローティングにし、コンデンサＣ１乃至Ｃ３に蓄積された電荷を放電しない。このため、再度電源回路６に電源ＯＮ信号が入力され電源回路６とコンデンサＣ１乃至Ｃ３を接続する場合、電源回路６とコンデンサＣ１乃至Ｃ３が切断されている間に自然放電された電荷のみを蓄積すればよいため、消費電力を低減することができる。また、本実施の形態では、コンデンサＣ１乃至Ｃ３に蓄積されている電荷によってラッチアップが起こらない程度の短期間にＯＮ／ＯＦＦを繰り返すモードを短期間ＯＮ／ＯＦＦモードとしている。このため、コンデンサＣ１乃至Ｃ３に蓄積されている電荷によって、再度電源回路６とコンデンサＣ１乃至Ｃ３を接続する場合にラッチアップが発生することを防止することができる。
【００１６】
ここで、図２（ａ）、（ｂ）に電源回路６から複数の電圧が出力されるスイッチの構成を示す。図２（ａ）に、電源回路６のＰチャネルスイッチＰ１、Ｐ２とＮチャネルスイッチＮ１、Ｎ２が接続されているスイッチの概略図を示す。また、図２（ｂ）に、電源回路６のＣＭＯＳスイッチＣＭ１、ＣＭ２とＮチャネルスイッチＮ３、Ｎ４が接続されているスイッチの概略図を示す。一般的に電源回路から複数の電圧が出力される場合、電源回路には異なる数種類のスイッチが接続されている。例えば、図２（ａ）に示す電源回路６にはＮチャネルスイッチＮ１、Ｎ２とＰチャネルスイッチＰ１、Ｐ２が形成されている。ＰチャネルスイッチにはコンデンサＣ１１が接続されていて、ＮチャネルスイッチにはコンデンサＣ１２が接続されている。ＰチャネルスイッチＰ１、Ｐ２とＮチャネルスイッチＮ１、Ｎ２は、出力する電圧がプラスの電圧か、マイナスの電圧かに応じて切り替えられる。通常モードでは、電源回路６に電源ＯＮ信号及び電源ＯＦＦ信号が入力される場合、ＰチャネルスイッチＰ１、Ｐ２のうちどちらか一方がＯＮすることにより動作する。一方、短期間ＯＮ／ＯＦＦモードで電源回路６に電源ＯＮ信号が入力される場合、ＰチャネルスイッチＰ１をＯＮ、Ｐ２をＯＦＦにする。また、電源回路６に電源ＯＦＦ信号が入力される場合、ＰチャネルスイッチＰ１及びＰ２はどちらもＯＦＦとする。これにより、コンデンサＣ１１に蓄積された電荷が放電されない。
【００１７】
また、電源回路６に異なるスイッチが接続されるものには、例えば図２（ｂ）に示すように電源回路６にＣＭＯＳスイッチＣＭ１、ＣＭ２とＮチャネルスイッチが接続される場合がある。ＣＭＯＳスイッチはコンデンサＣ１３が接続され、ＮチャネルスイッチにはコンデンサＣ１４が接続されている。図２（ｂ）に示す電源回路６においてもＣＭＯＳスイッチＣＭ１及びＣＭ２、又はＮチャネルスイッチＮ３及びＮ４を切り替えることによってプラスの電圧とマイナスの電圧の出力が切り替えられる。また、短期間ＯＮ／ＯＦＦモードにおいて電源回路６に電源ＯＦＦ信号が入力されると、ＣＭＯＳスイッチＣＭ１、ＣＭ２又はＮチャネルスイッチＮ３、Ｎ４のどちらもＯＦＦにする。これにより、コンデンサＣ１３、Ｃ１４に蓄積されている電荷は放電されない。
【００１８】
図２（ａ）及び（ｂ）に示すように、電源回路６から複数の電圧が出力される場合は電源回路６にＰチャネルスイッチ及びＮチャネルスイッチ等の異なる種類のスイッチが形成されている。このような場合において、それぞれのスイッチに接続されているコンデンサＣ１１乃至Ｃ１４に電荷が蓄積されていることによってラッチアップが発生する場合がある。
【００１９】
そこで、本実施の形態の表示装置は、コンデンサに蓄積されている電荷によってラッチアップが発生しない程度の短期間に電源のＯＮ／ＯＦＦを切り替える短期間ＯＮ／ＯＦＦモードを有する。そして、短期間ＯＮ／ＯＦＦモードの場合であって、電源回路６に電源ＯＮ信号が入力される場合は、コンデンサＣ１乃至Ｃ３に電荷が蓄積される。また、電源回路６に電源ＯＦＦ信号が入力される場合は、スイッチＳ１乃至Ｓ３を切断してコンデンサＣ１乃至Ｃ３の一方の端子をフローティングにし、コンデンサに蓄積されている電荷を放電しない。そして、再度電源回路６に電源ＯＮ信号が入力される場合は、短期間で電源が再度ＯＮされるため、コンデンサＣ１乃至Ｃ３に蓄積されている電荷によってラッチアップが発生することを防止することができる。また、電源回路６に電源ＯＦＦ信号が入力される場合はコンデンサＣ１乃至Ｃ３に蓄積されている電荷を放電しないため、再度電源回路６に電源ＯＮ信号が入力される場合にコンデンサＣ１乃至Ｃ３に蓄積される電荷量を低減することができ、消費電力を低減することができる。
【００２０】
ここで、図３に上述の表示装置１及び表示装置用電源回路２の駆動タイミング図を示す。モード信号が通常モード（ＯＦＦ）の場合、電源回路ＯＮ／ＯＦＦ信号に基づいて電源回路６の電圧の出力が切り替えられる。通常モードでは電源回路６に電源ＯＦＦ信号が入力される場合はスイッチＳ１乃至Ｓ３を切断してコンデンサＣ１乃至Ｃ３の一方の端子を接地電位に接続し、コンデンサＣ１乃至Ｃ３に蓄積されている電荷を放電させる。すなわち、表示装置用電源回路２のコンデンサＣ１乃至Ｃ３には電荷が蓄えられていないため、電源回路６に電源ＯＮ信号が入力される場合は電源回路投入時電流Ｉａ[Ａ]が出力される。また、このとき表示パネルＯＮ／ＯＦＦ信号において、表示ＯＮ信号が入力される場合、表示パネル１１を駆動させるために表示時回路電流Ｉｂ［Ａ］が出力される。一方、短期間ＯＮ／ＯＦＦモード（ＯＮ）の場合、電源ＯＮ／ＯＦＦ信号に係らず電源回路６から電圧が出力される。ただし、電源ＯＦＦ信号が入力される場合は、電源回路６は消費電力削減のために昇圧動作は行わない。このとき、電源回路６の出力先のそれぞれの負荷に応じて流れる電流と、電源回路６自体のリーク電流に応じて、電源回路６の出力電圧を低下させる。このため、短期間ＯＮ／ＯＦＦモードで電源ＯＦＦ信号が入力される場合は、表示装置用電源回路１０に流れる電流は通常リーク電流のみとなる。また、このとき、コンデンサＣ１乃至Ｃ３に接続されているスイッチＳ１乃至Ｓ３を切断し、コンデンサＣ１乃至Ｃ３の一方の端子をフローティグとするため、コンデンサＣ１乃至Ｃ３に蓄積されている電荷は自然放電される電荷以外は略放電されない。このため、次に電源回路６に電源ＯＮ信号が入力されるときは、自然放電された電荷のみを蓄積すればよい。すなわち、コンデンサＣ１乃至Ｃ３には電荷が蓄積されているため、電源回路投入時電流Ｉａ［Ａ］が出力されない。これにより、消費電力を低減することができる。また、電源回路６に入力される信号が電源ＯＦＦ信号から電源ＯＮ信号に切り替えられる場合にコンデンサＣ１乃至Ｃ３に蓄積されている電荷によってラッチアップが発生しない程度の短期間で電源回路６のＯＮ／ＯＦＦを切り替えるモードを短期間ＯＮ／ＯＦＦモードとしている。これにより、ラッチアップが発生することを防止することができる。
【００２１】
本実施の形態における表示装置１及び表示装置用電源回路２において、例えば、通常モードと短期間ＯＮ／ＯＦＦモードの２モードを有する。通常モードの場合は、電源回路６に入力される電源ＯＮ／ＯＦＦ信号に応じて電源回路６の電圧の出力が切り替えられる。すなわち、電源回路６に入力される電源ＯＮ／ＯＦＦ信号に応じて電源回路６とコンデンサＣ１乃至Ｃ３の接続が切り替えられる。一方、短期間ＯＮ／ＯＦＦモードの場合は、電源回路６に入力される電源ＯＮ／ＯＦＦ信号に係らず、電源回路６から電圧が出力される。ただし、電源回路６は昇圧動作を行わず、表示装置駆動回路１０には、それぞれ接続される負荷に応じたリーク電流が流れる。そして、電源回路６に電源ＯＮ信号が入力された場合は電源回路６とコンデンサＣ１乃至Ｃ３は接続される。また、電源回路６に電源ＯＦＦ信号が入力される場合は、コンデンサＣ１乃至Ｃ３と電源回路６は切断される。すなわち、スイッチＳ１乃至Ｓ３が切断され、コンデンサＣ１乃至Ｃ３の一方の端子をフローティングとする。このとき、コンデンサＣ１乃至Ｃ３からは自然放電以外の電荷は略放電されない。このため、コンデンサＣ１乃至Ｃ３には一定量の電荷が蓄積されているため、次に電源回路６に電源ＯＮ信号が入力される場合、コンデンサＣ１乃至Ｃ３に一から電荷を蓄積しなくてもよいため、消費電力を低減することができる。また、電源回路６に入力される信号が電源ＯＦＦ信号から電源ＯＮ信号に切り替えられる場合にコンデンサＣ１乃至Ｃ３に蓄積されている電荷によってラッチアップが発生しない程度の短期間で電源回路６のＯＮ／ＯＦＦを切り替えるモードを短期間ＯＮ／ＯＦＦモードとしている。これにより、ラッチアップが発生することを防止することができる。
【００２２】
実施の形態２．
次に実施の形態２について説明する。実施の形態１では、ＣＰＵ３から電源回路６に短期間ＯＮ／ＯＦＦモード及び通常モード等のモード信号が出力される。すなわち、実施の形態１では、表示装置駆動回路１０外に形成されているＣＰＵ３から論理回路５に入力される信号に基づいてモード信号を生成したが、モード信号は、表示装置駆動回路内で生成してもよい。そこで、本実施の形態の表示装置駆動回路は、実施の形態１の表示装置駆動回路１０にさらに、カウンタ回路１２、センス回路１３、及びモードコントロール回路１４をさらに有する。以下、本実施の形態における表示装置２０の構成について説明する。本実施の形態において、実施の形態１と同様の構成には同一の符号を付し、その詳細な説明は省略する。
【００２３】
図４を用いて本実施の形態にかかる表示装置２０の構成について説明する。図４に示すように、本実施の形態における表示装置２０の表示装置駆動回路３０は、カウンタ回路１２、センス回路１３、及びモードコントロール回路１４をさらに有する。カウンタ回路１２は、短期間ＯＮ／ＯＦＦモードにおいて、電源回路６に入力される電源ＯＮ／ＯＦＦ信号が切り替わった時間を測定し、切り替わった後の経過時間に応じてモード変更を行う。センス回路１３は、短期間ＯＮ／ＯＦＦモードにおいて、コンデンサＣ１乃至Ｃ３にそれぞれ蓄積されている電荷量を測定（センス）し、蓄積電荷量が一定量を下回った場合にモード変更する。モードコントロール回路１４は、カウンタ回路１２及びセンス回路１３に接続され、カウンタ回路１２及びセンス回路１３の測定結果に応じてモード変更を制御する。
【００２４】
以下、カウンタ回路１２、センス回路１３、及びモードコントロール回路１４について詳細に説明する。短期間ＯＮ／ＯＦＦモードの場合において、カウンタ回路１２は、例えば、電源回路６に入力される電源ＯＮ／ＯＦＦ信号が、電源ＯＮ信号から電源ＯＦＦ信号に切り替わった後の時間を測定する。カウンタ回路１２は、電源ＯＮ信号から電源ＯＦＦ信号に切り替わった後の経過時間をモードコントロール回路１４に出力し、モードコントロール回路１４はその経過時間に応じて短期間ＯＮ／ＯＦＦモードから通常モードに変更させる信号を論理回路５に出力する。このモードが変更される基準の時間は、電源回路６に電源ＯＦＦ信号が入力され次に電源回路６に電源ＯＮ信号が入力される場合にコンデンサＣ１乃至Ｃ３に蓄積されている電荷によって、ラッチアップが発生しない程度の時間を予め設定しておく。すなわち、電源回路６に電源ＯＦＦ信号が入力されるとコンデンサＣ１乃至Ｃ３は自然放電される。この自然放電によってコンデンサＣ１乃至Ｃ３の電荷量が減少することにより、再度電源回路６に電源ＯＮ信号が入力されるとラッチアップが発生する場合がある。このため、予め経過時間から自然放電される電荷量を予測し、予測した時間が経過するとラッチアップが発生するとしてモード変更することとする。これにより、電源回路６に電源ＯＦＦ信号が入力されて一定時間経過した後は、コンデンサＣ１乃至Ｃ３に蓄積されている電荷によってラッチアップが発生するとして通常モードに変更される。通常モードであって電源ＯＦＦ信号が入力される場合は、スイッチＳ１乃至Ｓ３が切断され、コンデンサＣ１乃至Ｃ３に蓄積されている電荷が放電される。これにより、ラッチアップを防止することができる。
【００２５】
また、短期間ＯＮ／ＯＦＦモードの場合においてセンス回路１３は、電源回路６に電源ＯＦＦ信号が入力されるとコンデンサＣ１乃至Ｃ３に蓄積されている電荷量を測定する。そして、測定された電荷量をモードコントロール回路１４に出力する。モードコントロール回路１４は、入力されたそれぞれのコンデンサＣ１乃至Ｃ３に蓄積されている電荷量に応じて短期間ＯＮ／ＯＦＦモードから通常モードに変更させる信号を論理回路５に出力する。モードが変更される電荷量は、電源回路６に電源ＯＦＦ信号が入力され、その間にコンデンサＣ１乃至Ｃ３に蓄積されている電荷が自然放電される。そして、次に電源回路６に電源ＯＮ信号が入力される場合に、コンデンサＣ１乃至Ｃ３に蓄積されている電荷によってラッチアップが発生しない程度の電荷量を下回った場合に短期間ＯＮ／ＯＦＦモードから通常モードに変更される。通常モードであって電源ＯＦＦ信号が入力される場合は、スイッチＳ１乃至Ｓ３が切断され、コンデンサＣ１乃至Ｃ３に蓄積されている電荷が放電される。これにより、コンデンサＣ１乃至Ｃ３に蓄積されている電荷量によってラッチアップが発生することを防止することができる。
【００２６】
本実施の形態においては、カウンタ回路１２と、コンデンサＣ１乃至Ｃ３に接続されるセンス回路１３と、カウンタ回路１２及びセンス回路１３に接続されるモードコントロール回路１４を有する。短期間ＯＮ／ＯＦＦモードにおいて、カウンタ回路１２は、例えば、電源回路６に電源ＯＦＦ信号が入力されて経過した時間を測定し、モードコントロール回路１４に出力する。モードコントロール回路１４は入力された経過時間に応じて、表示装置駆動回路３０を通常モードに変更させる信号を論理回路５に出力し、コンデンサＣ１乃至Ｃ３に蓄積されている電荷を放電させる。また、センス回路１３は、コンデンサＣ１乃至Ｃ３に蓄積されている電荷量を測定し、モードコントロール回路１４に出力する。モードコントロール回路１４は、入力された電荷量に応じて表示装置駆動回路３０を通常モードに変更させる信号を論理回路５に出力する。そして、コンデンサＣ１乃至Ｃ３に蓄積されている電荷を放電させる。表示装置駆動回路３０内にカウンタ回路１２、センス回路１３、及びモードコントロール回路１４を有しているため、モード変更の制御を表示装置駆動回路３０内で行うことができる。また、コンデンサＣ１乃至Ｃ３に蓄積されている電荷量が一定量以下になる時間を予め定めておく。予め定めた時間とカウンタ回路１２で測定されたモード変更後の経過時間に基づいてモード変更を行うことにより、コンデンサＣ１乃至Ｃ３に蓄積されている電荷量によってラッチアップが発生することを防止することができる。さらに、電源回路６に電源ＯＦＦ信号が入力され、次に電源回路６に電源ＯＮ信号が入力される間にコンデンサＣ１乃至Ｃ３から電荷が放電され、放電された電荷量によってラッチアップが発生しない程度の電荷量を予め定めておく。モードコントロール回路１４は、センス回路１３が測定した電荷量が予め定めた電荷量を下回ったと判断する場合にモード変更させる信号を出力する。これにより、コンデンサＣ１乃至Ｃ３に蓄積されている電荷量によってラッチアップが発生することを防止することができる。
【００２７】
本実施の形態では、カウンタ回路１２とセンス回路１３とが表示装置駆動回路３０上に形成され、表示装置駆動回路３０内でモード信号を生成することとしたが、どちらか一方のみを有する構成であってもよい。
【００２８】
なお、本発明は上述した実施の形態のみに限定されるものではなく、本発明の要旨を逸脱しない範囲において種々の変更が可能であることは勿論である。
【図面の簡単な説明】
【００２９】
【図１】本実施の形態にかかる表示装置及び表示装置用電源回路を示すブロック図である。
【図２】電源回路から複数の電圧が出力されるスイッチの構成を示す概略図である。
【図３】本実施の形態にかかる表示装置及び表示装置用電源回路の駆動タイミングを示すタイミング図である。
【図４】本実施の形態にかかる表示装置及び表示装置用電源回路を示すブロック図である。
【図５】従来の表示装置及び表示装置用電源回路を示すブロック図である。
【符号の説明】
【００３０】
１、２０  表示装置
２  表示装置用電源回路
３、９７  ＣＰＵ
４、９６  ＯＳＣ
５、９１  論理回路
６、９２  電源回路
７、９３  ソースドライバ
８、９４  ゲートドライバ
９、９５  コモンドライバ
１０、３０、９０  表示装置駆動回路
１１、９８  表示パネル
１２  カウンタ回路
１３  センス回路
１４  モードコントロール回路
Ｃ１、Ｃ２、Ｃ３、Ｃ１１、Ｃ１２、Ｃ１３、Ｃ１４、Ｃ９１、Ｃ９２、Ｃ９３  コンデンサ
Ｓ１、Ｓ２、Ｓ３  スイッチ
Ｐ１、Ｐ２  Ｐチャネルスイッチ
Ｎ１、Ｎ２、Ｎ３、Ｎ４  Ｎチャネルスイッチ
ＣＭ１、ＣＭ２  ＣＭＯＳスイッチ
【図１】
2008170827.tif 000003
【図２】
2008170827.tif 000004
【図３】
2008170827.tif 000005
【図４】
2008170827.tif 000006
【図５】
2008170827.tif 000007